(57)【要約】      （修正有）【課題】ストリングを張る際に、リムにねじれが生じるなど不安定な状態になりにくく、必要な力も小さく、さらに、弓にストリングを張り終わった後に取り外しにくくなるような事態も発生し難いボウストリンガーを提供する。【解決手段】紐体７の一端にループ２を備えて、ストリングを張る弓のストリングノックに掛かる構成とした。ループには取付穴を備えた支持体１３が備えられ、支持体はループを構成する紐を取付穴に通すことで取り付けられる。ストリングノックに掛けたループによって弓に与えられる力の方向が支持体の存在によって変化する。【選択図】図１
0003229565.tif 000002
【実用新案登録請求の範囲】
【請求項１】
紐体と、
該紐体の少なくとも一端に、取付穴を有する支持体を備えたループを備え、
該ループは紐で構成されており、
該支持体は該取付穴に該紐を通すことで該ループに取り付けられている
ことを特徴とする、ボウストリンガー。
【請求項２】
前記ループは前記紐体に縛結によって固定され、かつ、ループが引かれることによって該紐体との固定がより強固に縛結されるようにされている
ことを特徴とする、請求項１に記載のボウストリンガー。
【請求項３】
前記紐体の一端に前記ループを備え、
該紐体の他端にポケットを備えている
ことを特徴とする、請求項１または請求項２に記載のボウストリンガー。
【請求項４】
前記支持体は、正六角柱形状であってその中心軸に沿って該取付穴が設けられている
ことを特徴とする、請求項１乃至請求項３のいずれかに記載のボウストリンガー。
【考案の詳細な説明】
【技術分野】
【０００１】
本考案は、アーチェリー競技で使用される弓に弦（ストリング）を張る又は外す作業を行う際に使用される器具（ボウストリンガー）に関するものである。より詳しくは、弓の端部に極めて近い位置にストリングを掛けることを要する場合であっても、簡単にかつ安全にストリングを張る又は外す作業を実施可能としたボウストリンガーに関する。
【背景技術】
【０００２】
アーチェリー競技はもともとイギリスやアメリカで盛んなスポーツであるが、現在では日本においても多くの競技人口を擁している。近年、アーチェリーに広く使用されている弓はリカーブボウと呼ばれるタイプのものの中で特にテイクダウンボウというハンドルとリムが別の部品からなる弓が主流である。弓のそれぞれの部品の機能により適した素材を使用することで最高の性能を得ることができるとともに、長い弓を分解してコンパクトにすることで保管や運搬にも有利だからである。
【０００３】
さて、弓を組み立てる際には弓にストリングを張る必要があるが、これにはストリングの両端に設けられたループをリムの先端のチップに設けられた溝であるストリングノックに掛けることで行う。この際、弓（実際にはリム）を大きくたわませつつ、リムの先端のチップにストリングのループを掛けなければならず、この作業に熟練していない者や非力な女性等にとって容易な作業ではない。また、近年広く使用されているリカーブボウの場合はその名前の通り、リムの先端付近にかけて弓のたわむ向きと逆方向に反る形状（リカーブ部分）とされている為、不用意に弓をたわませようとするとリムにねじれが発生し、弓を破損してしまったり、あるいは跳ねた弓によって怪我を負う危険が高い。同様に弓からストリングを外す場合にも、弓（実際にはリム）の復元力に打ち勝つ力でさらに弓をたわませて強い張力の掛かったストリングのループをストリングノックから外さなければならず、ストリングを張る際と同様の危険がある。
【０００４】
前記のような危険を防止し、初心者や非力な者でも安全・容易に弓にストリングを張ったり外したりできるように、従来からボウストリンガーと呼ばれる器具が用いられている。本考案の考案者による発明に係る特開２０１６−２１４７０２号公報に開示されている発明も、このようなボウストリンガーの一例である。このボウストリンガーは図５に示すように、紐体（７）の両端にそれぞれループ（２）とポケット（３）を備えており、該ループは該紐体に縛結によって固定され、かつ、該ループが引かれることによって該紐体との固定がより強固に縛結されるようにされていることを最も重要な特徴としている。このボウストリンガーを用いてストリングを張る手順は次のようである。なお、ボウストリンガーを用いてストリングを外すには、下記の２、３の手順によって弓を安全にたわませた状態でストリングノックからストリングのループを外せばよい。
【０００５】
１．ストリングの一方のループを上側リムに通しておき、他方のループは下側リムのストリングノックに掛けた状態とする。
２．ボウストリンガーの紐体の一端に備えられたポケットを下側のリムのチップ先端に被せて固定する。つぎに、紐体の他端に備えられたループを上側リムのチップに設けられたストリングノックに掛ける。なお、ボウストリンガーの紐体はストリングよりも十分に長くたわんでいるため、紐体の備えるポケットやループを、両端のチップ先端及びストリングノックに接続することは極めて容易である。
３．ボウストリンガーの紐体の中央付近を踏んで固定し、弓を片手でまっすぐに持ち上げる。これにより、弓を絞る際と同様に両端を均等にボウストリンガーによって引かれた弓は安定してたわんだ状態となる。
４．もう一方の手で、上側リムのストリングノックにストリングのループを掛ける。ボウストリンガーによって弓（実際にはリム）は大きくたわんだ状態であるので、ストリングの長さに余裕があり、ループをストリングノックに容易に掛けることができる。
５．徐々に弓をおろし、ストリングが弓に正常に張られたことを確認して、ボウストリンガーを弓から取り外す。
【０００６】
ところで、近年、リムを構成する素材の強度の向上や設計の工夫によってより端部付近にストリングをかけても十分な耐久性が得られるようになったことや、このようにすることでリムの全長を変えずに実効長を長くできることなどの理由でストリングノックがリムの端部付近に設けられる例が増えており、紐体の両端にポケットを設けた伝統的なボウストリンガーを利用して弓にストリングを張ることが困難になってきていた。ストリングを張るべきリム先端のチップやストリングノックが細く小型であるため、通常の大きさのポケットではストリングノック部が覆い隠されたりしてしまう一方、ポケットを小さくすると抜け落ち等の危険が高まるからである。しかし、紐体の一端がループとされた特開２０１６−２１４７０２号公報に開示されているボウストリンガーではこのような場合にも問題なく対応可能である。また、このボウストリンガーは紐の一端にポケット、他端にループを設けるという簡単な構造であるので、小型・軽量であり、保管や運搬にも便利であるという優れた器具である。
【０００７】
しかしながら、このボウストリンガーによってストリングを張る又は外す際、ループはストリングノック部に掛かっているだけでストリングノックの周りを自由に回転可能である状態であるので、特にリカーブボウにストリングを張る際に紐体を足等で押さえつつ弓を引き上げる瞬間にリムにねじれが生じるなど不安定な状態になることがあった。また、弓を引き上げてリムをたわませる際に要する力が大きいこと、および、リムをたわませた状態でストリングをストリングノックに掛けた際にストリングとストリングノックでループを挟み込む形になってループを取り外しにくくなることが時折生じるという課題があった。
【先行技術文献】
【特許文献】
【０００８】
【特許文献１】特開２０１６−２１４７０２  公開特許公報
【考案の概要】
【考案が解決しようとする課題】
【０００９】
本考案が解決しようとする課題は、上記説明したとおり、ストリングを張る又は外す際に、リムにねじれが生じるなど不安定な状態になりにくく、必要な力も小さく、さらに、リムをたわませた状態でストリングをストリングノックに掛けた際にストリングとストリングノックでループを挟んでループを取り外しにくくなるような事態も発生し難いボウストリンガーを提供することである。
【課題を解決するための手段】
【００１０】
（１）前記説明した課題を解決するため、本考案においては、
紐体と、
該紐体の少なくとも一端に、取付穴を有する支持体を備えたループを備え、
該ループは紐で構成されており、
該支持体は該取付穴に該紐を通すことで該ループに取り付けられている
ことを特徴とする、ボウストリンガーとしている。
【００１１】
紐体は、ボウストリンガーを使用して弓にストリングを張る又は外す際に必要となる張力に耐える強度を備えるとともに、使用の際に繰り返し足で踏まれても容易には摩耗等の劣化を生じない耐久性を兼ね備えているものであれば任意の紐を使用することができる。ただし、あまりに細いと使用時に張力がかかっている状態で手指が触れると怪我をする恐れがあるので、少なくとも直径が２ｍｍ以上、好ましくは３ｍｍ以上のものを使用することが好ましい。また、ストリングを張っていない弓の両端のストリングノックに無理無くボウストリンガーを取り付け可能とするため、紐体の長さは少なくとも１６５ｃｍ以上であり、好ましくは１７０ｃｍ、さらに好ましくは１８０ｃｍ以上であることが好ましい。一般にアーチェリーで使用されるストリングの長さは、短いもので１５０ｃｍ程度、長めのものでは１８０ｃｍ程度であるので、これよりも長くなければストリングを張る弓に容易にボウストリンガーを取り付けることが困難だからである。
【００１２】
また、紐体の少なくとも一端には柔軟な紐を主たる構成要素とするループを備えるが、これは上側ストリングノックに掛けることでボウストリンガーを弓に取り付ける機能を奏する。したがって、ループの大きさは一般的な弓の上側チップが容易に通る程度以上の大きさとする。
【００１３】
支持体は、典型的には中心軸にそって取付穴が設けられた円柱形状や角柱形状であって、樹脂やゴム等の材質で構成される。ボウストリンガーを用いて弓にストリングを張る際に、支持体と弓（より詳細には弓のリム先端のチップが設けられている部分付近）が当接するので、金属等では弓を傷つけてしまう恐れがあるからである。
【００１４】
さて、支持体の取付形態は、これに設けられた取付穴にループを構成する紐を通すことで回動自在に取り付けることが好ましい。これは、本考案に係るボウストリンガーのループ部付近の一実施形態を示した図１や、本考案に係るボウストリンガーを用いて弓にストリングを張る際のループ部付近を示した図２の支持体（１３）とこれに設けられた取付穴（１４）を参照すると理解が容易である。つまり、弓にストリングを張るとは、弓（リム）をボウストリンガーでたわませながらリム先端チップ部に設けられたストリングノック（１２）にストリング（１０）を掛けることであるが、弓をたわませているときにはボウストリンガーのループ（２）が強い力でストリングノック（１２）部分を引いているのでストリング（１０）をストリングノックに掛けた際にループ（２）の上にかぶさる状態になりやすい。こうなると、ボウストリンガーを緩めても、ストリング（１０）の張力でループ（２）がストリングノックとの間で挟み込まれた状態となって取り外しが困難になってしまう。しかし、支持体（１３）を備えていると、ループ（２）がリムを引く方向が変化して、このような状態を発生しにくい。このような作用を得るには、リムのたわみ具合に関わらず支持体とリムの接触状態が安定していることが好ましく、よってループと支持体は回動自在に取り付けられていることが好ましいのである。
【００１５】
また、弓からストリングを外す場合にも、やはり支持体（１３）の働きでボウストリンガーのループ（２）がストリング（１０）の上にかぶさる状態になることはない。そうすると、ボウストリンガーで弓を徐々にたわませるにつれ、ボウストリンガーのループ（２）は徐々に強い力で引かれる一方、ストリング（１０）の張力は徐々に弱くなるので、ストリング（１０）がストリングノック（１２）から自然に押し出される。このようにして、安全にストリングを外すことができるのである。
【００１６】
また、リムをたわませる際に、ループを介してボウストリンガーがストリングノックを引く力がリムと平行に近ければ、リムを長手方向に押しつぶすような力をかけてたわませようとすることになり、この際にリムにねじれを発生させる場合がある。とくに、近年広く使用されているリカーブボウと呼ばれるタイプのリムは、初期状態で弓のたわむ向きと逆方向に反る形状であるのでますますねじれが発生しやすい。しかし、支持体があると、リムを曲げる力（モーメント）をかけてリムをたわませようとすることに近くなり、リムにねじれを発生させることなく安定した作業が可能になる。また、これは弓をボウストリンガーでたわませる際に必要な力を軽減することにも寄与する。
【００１７】
ところで、ボウストリンガーのループ部（２ａ）は支持体（１３）の取付穴（１４）を交差しつつ貫通している。このため、ループ部（２ａ）が取付穴（１４）を通過する位置を調整することで、ストリングノックに掛けるループ部の実質的な大きさを容易に変更することができる。ループ部がストリングノックに対して大きすぎると取付状態が不安定になりやすく、逆にループ部がストリングノックに対して小さすぎると取付が不可能になるが、本ボウストリンガーでは対象とする弓のストリングノックに合わせて常に適切な大きさのループとして使用することができるのである。
【００１８】
（２）前記説明した課題を解決するため、本考案においては、
前記ループは前記紐体に縛結によって固定され、かつ、ループが引かれることによって該紐体との固定がより強固に縛結されるようにされている
ことを特徴とする、（１）に記載のボウストリンガーとしている。
【００１９】
すでに説明した通り、弓にストリングを張る際にボウストリンガーのループは弓のストリングノックに掛けられ、張力が掛けられて弓をたわませ、ストリングを張り終わると外される。この際、強靭な弓をたわませる力を支えるために強い力がかかること及びこの状態で弓がたわむことで掛かり具合が変化してストリングノックや支持体と擦れることになり、これが繰り返されることになる。そのため、ループはボウストリンガーの使用に伴って徐々に摩耗してしまう。そこで、ループは紐体と別部品によって構成し、摩耗した際にはループのみを交換可能とすれば、より経済的に長期間にわたってボウストリンガーを使用できる点で好ましい。
【００２０】
ループと紐体の具体的な取付方法は任意の常法を用いることができるが、例えば、いわゆるカラビナのような金具をもちいることができるほか、紐体の端部に円環のような金具を取り付けるまたは紐体の端部を縛って輪を作るなどし、これに第１のループを縛り付けることによって取り付けることができる。
【００２１】
（３）前記説明した課題を解決するため、本考案においては、
前記紐体の一端に前記ループを備え、
該紐体の他端にポケットを備えている
ことを特徴とする、（１）または（２）に記載のボウストリンガーとしている。
【００２２】
すでに説明した通り、ボウストリンガーを用いて弓にストリングを張る際には、まず、ストリングの一方のループを上側リムに通しておき、他方のループは下側リムのストリングノックに掛けた状態とする。そして、上側リムのストリングノックにストリングのループを掛けられるよう、ボウストリンガーによって弓をたわませる。つまり、下側リムのストリングノックにストリングのループをかけ終わった状態でボウストリンガーの使用を始めるので、この部分へのボウストリンガーの接続時にストリングノックを覆い隠す形となっても何ら問題ではない。
【００２３】
そこで、紐体の一方の端にはループではなく、リムのノックにかぶせて取り付けることが可能な袋状のポケットを備えると良い。袋状のポケットをリムのノックにかぶせて取り付けることは非常に簡単であるし、ポケットにリムのノックを深く差し込むと意図して取り外さない限りは容易に外れてしまうこともなく、優れた作業性が実現できるからである。
【００２４】
また、前記紐体の両端にそれぞれ前記ループを備えていることを特徴とする、（１）または（２）に記載のボウストリンガーとすることもできる。
【００２５】
近年の弓では、リムの全長を変えずに実効長を長くできるなどの理由でストリングノックがリムの端部に極めて近い部分に設けられることがある。これに対応するためにポケットを小型化すると抜け落ち等の危険が高まるため、ポケットを用いてボウストリンガーをリムに取り付けることが困難な場合が生じている。しかし、紐体の両端にループを備えていれば、ストリングノックの位置がリムの端部に近いかどうかにかかわらずにループをストリングノックに掛けて取り付けることが可能であり、どのようなリムを用いた弓であってもボウストリンガーを使用可能になる。
【００２６】
（４）前記説明した課題を解決するため、本考案においては、
前記支持体は、正六角柱形状であってその中心軸に沿って該取付穴が設けられている
ことを特徴とする、（１）〜（３）のいずれかに記載のボウストリンガーとしている。
【００２７】
すでに説明した通り、取付穴を備えた支持体をループに備えることで、弓をたわませる際のリムのねじれの防止や必要な力の軽減、たわませた弓のリムのストリングノックにストリングを掛ける際にストリングのループによるボウストリンガーの挟み込みが発生ることの防止など、さまざまな効果を得ることができる。このような効果は本質的にはストリングノックに掛かったループがストリングノックを引く方向が支持体によって変化させられることによって得られるのだが、ストリングを張る際に支持体の位置や姿勢が十分に安定していなければこのような効果を十分に得ることが難しくなる。例えば、支持体が自由にあらゆる方向に転がり得る球体ではその効果を得ることは極めて難しいことは明らかである。
【００２８】
そこで本考案においては、支持体は正六角柱形状とし、その中心軸に沿って取付穴を設ける構成としている。正六角柱形状であれば、十分に広い側面がリムに当接して容易には姿勢が変わらない安定した状態となり、前記支持体の作用効果を十分に発揮できるからである。なお、支持体を円柱形状とすると転がりが生じるなど不安定の原因になる他、リムとの当接が面ではなく線になるのでリムを痛めてしまう懸念もあり好ましくない。しかし、正四角柱や正八角柱などの形状とすることは可能である。もっとも、正四角柱とすると側面どうしが作る角度が９０度と比較的鋭い角度であるため、リムと当接する面にこのような部分が存在することはリムを傷つける懸念がある。他方、正八角形では側面どうしが作る角度は１３５度と鈍角であるが、一方でリムと当接する面積が不足して転がりが生じる懸念が生じる。よって、最も好ましくは正六角柱形状なのである。
【００２９】
ところで、正多角柱形状以外の形状の支持体とすることももちろん可能である。しかし、どの側面がリムと当接するかによって、ボウストリンガーの使用感が異なってしまうことになるので、正多角柱形状とすることが最も好ましい。
【考案の効果】
【００３０】
（１）紐体の少なくとも一端に、取付穴を備えた支持体を備えたループを備え、該支持体は該取付穴に該紐を通すことで該ループに取り付けたボウストリンガーとしたので、ボウストリンガーを使用して弓をたわませる際にループがリムのストリングノックを引く力の方向が変化し、より小さな力で弓をたわませることができるほか、リムにねじれが発生する危険を低下させ、さらに、弓をたわませた状態でストリングのループをストリングノックに掛けた際にボウストリンガーのループが挟まれてボウストリンガーの取り外しが困難になるような事態の発生も抑制することができるという効果を奏する。
【００３１】
また、弓からストリングを外す場合にも、弓を張る場合と同様により小さな力で弓をたわますことができ、リムにねじれが発生する危険を低下させるという効果が得られ、さらに、ボウストリンガーで弓を徐々にたわませるとストリングがストリングノックから自然に押し出され、これによってより安全にストリングを外すことができるという効果を奏する。
【００３２】
（２）ループを紐体に縛結によって固定することとしたので、ストリングノックや支持体との擦れによって徐々に摩耗するループが交換可能となり、より経済的に長期間にわたってボウストリンガーを使用できるという効果を奏する。なお、ループが引かれることによって該紐体との固定がより強固となるように縛結することにより、ボウストリンガーを使用して弓にストリングを張る作業時に突然ループが外れて弓が跳ね、弓または作業者を傷つけるという事故を防止できるという効果を奏する。
【００３３】
（３）記紐体の一端にループを備え、他端にポケットを備える構成としたので、弓にストリングを張るためにボウストリンガーを取り付ける際、ポケットをリムのノックにかぶせるのみで取り付け可能であり、かつ、ポケットにリムのノックを深く差し込むと意図して取り外さない限りは容易に外れてしまうこともないため、優れた作業性が得られるという効果を奏する。
【００３４】
また、紐体の両端にループを備える構成とすると、ストリングノックがリムの端部に極めて近い部分に設けられているような弓であっても、ボウストリンガーによって安全にストリングを張ることができるという効果を奏する。
【００３５】
（４）支持体を正六角柱形状であってその中心軸に沿って該取付穴が設けられている構成としたので、ボウストリンガーを用いて弓にストリングを張る際に、支持体の一側面とリムの当接面積が十分に大きく安定した作業ができると同時に、支持体が接触するリムに傷をつけたりする懸念を小さくできるという効果を奏する。
【図面の簡単な説明】
【００３６】
【図１】本考案に係るボウストリンガーのループ部分を示した説明図である。
【図２】本考案に係るボウストリンガーをストリングノックに掛けた状態を示した説明図である。
【図３】本考案に係るボウストリンガーを示した説明図である。
【図４】ボウストリンガーの使用方法を示した説明図である。
【図５】従来のボウストリンガーを示した説明図である。
【考案を実施するための形態】
【００３７】
以下、本発明に係るボウストリンガーについて図面を用いて詳細に説明する。
【実施例１】
【００３８】
図３は、本発明に係るボウストリンガーの一実施形態を示した説明図である。また、図１は図３のループ部分付近を示した説明図である。さらに、図２は本発明に係るボウストリンガーを用いて弓にストリングを張る際のループ部分付近の様子を示した説明図である。なお、本実施形態は（３）で説明したように紐体の一端にループを、他端にポケットを備えた形態であり、また、（５）で説明した特徴をも備えたものである。
【００３９】
本実施形態では紐体（７）には直径４ｍｍの強靭な紐を使用しており、その長さは１８０ｃｍとしている。これは、日本国内で使用される大半の弓に余裕をもって取り付けられる長さを選択したものであるが、弓の大きさに対して長すぎると弓をたわませるために非常に高く弓を持ち上げなければならない等使い勝手が悪くなるので、適宜長さの異なるものを準備する、または、紐の長さの調整機構を設けると良い。図示はしていないが、これは任意の定法によって適宜行なうことができることは言うまでもない。
【００４０】
紐体（７）の下端には比較によって構成したポケット（３）が取り付けられている。ポケット（３）には袋状部分（３ａ）が設けられており、これの開口部の周長を５．５ｃｍとしているので、様々な弓の下側チップを差し入れて安定に取り付けることができる。なお、袋状部分（３ａ）の深さは２ｃｍとし、ボウストリンガーを使用して弓にストリングを張る作業中に容易に外れてしまわないようにしている。また、ポケット（３）には紐体接続部分（３ｂ）として皮革鳩目で補強された穴が設けられており、ここに紐体（７）を縛結している。
【００４１】
紐体（７）の上端にはループ（２）が設けられている。ループ（２）は直径２．３ｍｍの強靭な紐で構成されている。また、ループ（２）には正六角柱形状の支持体（１３）を備えている。支持体（１３）には、その中心軸に沿って取付穴（１４）が設けられており、ここにループ（２）を構成する紐を通すことで、ループ（２）と支持体（１３）が取り付けられている。ループのループ部（２ａ）の周長は５ｃｍとしており、ほとんどのリムのチップを容易に通すことができ、かつ、ストリングノック（１２）にかけた状態でよく安定することができる。
【００４２】
ボウストリンガーを用いて弓にストリングを張る際には、ループ（２）をストリングノック（１２）に掛けた状態で、紐体を足で押さえつつ弓を引き上げることで弓をたわませるが、この際の様子は図２に示すようである。つまり、ループ部（２ａ）が紐体（７）で引かれて弓をたわませる際に、支持体（１３）が存在するため、ループ部（２ａ）はストリングノック（１２）の端部を押し付ける方向（図の右方向）ではなくリムを曲げようとする方向（図の下方向）に力を掛けようとする。この為、たわんだ弓のストリングノック（１２）にストリング（１０）を図に示すように適切な位置に容易に掛けることが可能となる。また、ストリング（１０）とストリングノック（１２）の間にループ部（２ａ）を挟み込むような事態も起こらず、ボウストリンガーの取り外しも容易である。
【００４３】
紐体（７）の上端は輪が作られてこの大部分が中空パイプ形状のスリーブ（５）に内挿されている。スリーブ（５）はある程度の柔軟性を有しつつ固定した形状を備えた軟質ビニル樹脂製で直径８ｍｍ程度、長さ３ｃｍとしており、ボウストリンガー使用時に手指でつかみ易い部位となっている。スリーブ（５）は同時に、ループ（２）の縛結部（２ｂ）から伸びる紐の端である縛結端部（２ｃ）を挿納しており、すっきりした外観を実現するほか、縛結端部（２ｃ）が無秩序な状態となって、ストリングのループがこれに掛かってしまうという事態を防止する。
【００４４】
ところで、説明の便宜上、上記実施例では下側リムへの取り付けをポケットによって行うボウストリンガーについて説明したが、これは本考案の取り得る構成を限定する意図で行ったものではなく、本考案はその技術的意図を損ねない範囲での様々な変形例を包含するものであることは言うまでもない。例えば、下側リムへの取り付けもループによって行うことも可能であるし、ループ部と紐体が別部材で作られている上記実施例と異なり、これを一体の部材で構成することも可能である。さらに、スリーブの有無や形状、支持体の形状等を適宜変更してもよい。
【産業上の利用可能性】
【００４５】
以上のように、本発明はストリングノックとリム端部の距離が極めて短いアーチェリー競技の弓であっても、リムにねじれが生じるなど不安定な状態になりにくく、必要な力も小さく、また、弓にストリングを張り終わった後に取り外しにくくなるような事態も発生し難いボウストリンガーを提供するものであり、産業上の利用価値はきわめて高い。
【符号の説明】
【００４６】
１              ボウストリンガー
２              ループ
２ａ            ループ部
２ｂ            縛結部
２ｃ            縛結端部
３              ポケット
３ａ            袋状部分
３ｂ            紐体接続部分
４              紐体縛結部
５              スリーブ
６              紐体縛結部
７              紐体
８              弓
９              リム
１０            ストリング
１１            チップ
１２            ストリングノック
１３            支持体
１４            取付穴
【図１】
0003229565.tif 000003
【図２】
0003229565.tif 000004
【図３】
0003229565.tif 000005
【図４】
0003229565.tif 000006
【図５】
0003229565.tif 000007